(57)【要約】      （修正有）【課題】簡単な構成で植物栽培ができる植物栽培用袋を提供する。【解決手段】可撓性を有するシート材が肥料を配合した用土５で充填され、用土充填口に開閉可能なジッパー４と表面に少なくとも１箇所以上の植付穴２と裏面に排水口６とを設け、かつこれら植付穴２と排水口６を粘着シール３で封印した構成としたものである。また、前記肥料が発酵豚糞と発酵鶏糞とを混合した有機肥料としたものである。また、前記用土がピートモスと牛糞堆肥とを混合した植物栽培用土としたものである。また、前記用土５がピートモスと生ゴミ堆肥とを混合した植物栽培用土としたものである。さらに、前記シート材が生分解性である構成としたものである。【選択図】  図１
2008173118.tif 000002
【特許請求の範囲】
【請求項１】
可撓性を有するシート材が肥料を配合した用土で充填され、用土充填口に開閉可能なジッパーと表面に少なくとも１箇所以上の植付穴と裏面に排水口とを設け、かつこれら植付穴と排水口を粘着シールで封印したことを特徴とする植物栽培用袋。
【請求項２】
前記肥料が発酵豚糞と発酵鶏糞とを混合した有機肥料であることを特徴とする請求項１記載の植物栽培用袋。
【請求項３】
前記用土がピートモスと牛糞堆肥とを混合した植物栽培用土であることを特徴とする請求項１記載の植物栽培用袋。
【請求項４】
前記用土がピートモスと生ゴミ堆肥とを混合した植物栽培用土であることを特徴とする請求項１記載の植物栽培用袋。
【請求項５】
前記シート材が生分解性であることを特徴とする請求項１記載の植物栽培用袋。
【発明の詳細な説明】
【技術分野】
【０００１】
本発明は植物の生育のための資材として有用な植物栽培用袋に関する。
【背景技術】
【０００２】
従来より家庭菜園の関心が高まっているが、プランターや植木鉢以外のものが少ない。
【特許文献１】特公平８−１７６４０号公報
【発明の開示】
【発明が解決しようとする課題】
【０００３】
従来では、プランターのような植物栽培資材や用土及び肥料等を用意すること、栽培管理に知識や経験を必要とすること、重いものや衣服の汚れやすい資材の取り扱いが多いこと、さらにプランターや植木鉢への用土の取り扱いや潅水及び追肥等に多くの手間とコストがかかりプランターや植木鉢での栽培は一部の愛好家に限られていた。また、安全性の関心が高いため化学肥料を使わない有機質肥料のみの有機野菜栽培の希望が増えている。
【０００４】
また、流通に適した畜産廃棄物である豚糞や鶏糞は従来からも単品で水稲や畑に有機肥料として使われていた。しかし、豚糞は堆肥として土壌改良に効果があるもののチッソ、加里といった肥料成分が鶏糞よりも低く化学肥料との混合で使われていた。一方鶏糞は、チッソ、燐酸、加里といった肥料成分が高いため化学肥料に準じ、地力増強効果はあるものの土壌改良効果は期待されていなかった。さらに、流通に適した他の畜産廃棄物である牛糞は堆肥として土壌改良に効果があるもののチッソ、燐酸、加里といった肥料成分が豚糞より低く本発明の有機肥料の成分として混合するには高コストにつながり不向きである。
【０００５】
赤土や黒土などの基本用土に天然植物用土のピートモスを主成分として配合した植物栽培用土が一般的に販売されている。ピートモスは酸度を下げる働きがあるため必要以上の混合では植物の生育を抑制することもある。ピートモスは適量では保水力が植物の生長に効果を発揮するが、適量を超えると根腐れや軟弱に伸びすぎて悪影響を及ぼす。また、植物生長に必要な栄養素を腐葉土では有機肥料成分の効果も期待できるが、この場合は化学肥料のみに頼っているため肥料効果が短く追肥の時期や量に悩まされていた。
【０００６】
家庭や事業所で発生する一部の生ゴミは、堆肥化し農地に還元しリサイクルも行われている。一部の自治体や地域及びＮＰＯや企業も取り組んでいるところがある。しかし、排出される生ゴミ全体からすれば解決には程遠いことと、トラック等で生ゴミ回収することは石油資源の浪費と二酸化炭素の排出を伴うため疑問がある。
また、プラスチック素材のプランターや植木鉢は老朽化するとゴミとして廃棄するには環境に問題がある。
【０００７】
本発明は上記従来の課題を解決するもので、簡単な構成で植物栽培ができる植物栽培用袋を提供することを目的とする。
【課題を解決するための手段】
【０００８】
上記課題を解決するため本発明の植物栽培用袋は、可撓性を有するシート材が肥料を配合した用土で充填され、用土充填口に開閉可能なジッパーと表面に少なくとも１箇所以上の植付穴と裏面に排水口とを設け、かつこれら植付穴と排水口を粘着シールで封印した構成としたものである。したがって植付穴と排水口の粘着シールを剥がし、植付穴より潅水し植付穴の用土に植物を播種又は植付けするだけで用土及び有機肥料、栽培管理に知識や経験を必要とせず、軽量で手を汚さず手間要らずに簡単に栽培することができるという作用を有することとなる。
【０００９】
また、前記肥料が発酵豚糞と発酵鶏糞とを混合した有機肥料としたものである。したがって混合することで化学肥料を使わない有機栽培用肥料として相乗効果が得られるという作用を有することとなる。
【００１０】
また、前記用土がピートモスと牛糞堆肥とを混合した植物栽培用土としたものである。したがって牛糞堆肥の有機肥料成分により肥料効果も長続きするという作用を有することとなる。
【００１１】
また、前記用土がピートモスと生ゴミ堆肥とを混合した植物栽培用土としたものである。したがって生ゴミ堆肥の有機肥料成分により肥料効果も長続きするという作用を有することとなる。
【００１２】
また、前記シート材を生分解性としたものである。したがって植物栽培終了後にそのまま土壌に処分または用土充填口の開閉可能なジッパーを開封し、用土と植物の根などの残渣を手を汚さず簡単に取り出し植物栽培用袋と分別処分でき、環境への影響を最小限にできるという作用を有することとなる。
【発明の効果】
【００１３】
本発明の植物栽培用袋は、植付穴と排水口の粘着シールを剥がし、植付穴より潅水し植付穴の用土に植物を播種又は植付けするだけで用土及び有機肥料、栽培管理に知識や経験を必要とせず、軽量で手を汚さず手間要らずに簡単に栽培することができる。また、生育終了後は、用土充填口の開閉可能なジッパーを開封し用土と植物の根などの残渣を手を汚さず簡単に取り出し植物栽培用袋と分別処分でき、環境への影響を最小限にできる。そして、栽培ごとに新しい用土の入った袋を使用するため、同一場所に同一作物を栽培すると次第に成育不良になるという連作障害を防ぐことができる。また、袋ごとに肥料の種類や水の量などの栽培条件を変えることができるので、袋ごとに異なった栽培条件の植物を栽培することができる。このため、栽培条件の異なる植物の隣接栽培が可能となる。例えば、トマトやきゅうりなどのように土壌水分要求量の異なった作物においても隣接栽培が可能となる。
【００１４】
大根、にんじん等の根菜類など、収穫時には地面から引き抜かなくてはならない作物においても、袋に充填されている用土から引き抜くだけなので、容易に引き抜くことができる。また、特にごぼう等のように細くて長い作物等は引き抜こうとすると途中で折れてしまう恐れがあるため、地面を掘って収穫しなくてはならないが、本発明においては掘る必要は無く袋を破いて用土を取り除くことにより容易に収穫することができる。また、袋に充填された用土で栽培するので、プランター等の器具を必要とせずに低コストにて栽培することが可能であるとともに、場所を選ばず栽培することができる。例えば、砂地、荒地、岩石地帯、コンクリートの上などにおいても栽培することができる。すなわち、マンションのベランダ等においても栽培することが可能となる。また、用土は袋に包まれているので、土壌水分の蒸発を抑える効果がある。このため、潅水の回数を少なくすることができる。
【００１５】
植物は袋に入った状態で栽培されるので、移動が容易という効果がある。即ち、台風等のため植物にダメージの危険性がある場合は、袋ごとどこかに退避させることが可能である。また、病害虫が発生した場合においては、病害虫が発生した植物を袋ごと隔離することにより、病害虫の広がりを防止することもできる。また、袋栽培のマルチ効果として、太陽光による熱で上昇した地熱が袋内で留まることで地温を上げることができるため、植物の生育を促すことができる。
【００１６】
発酵豚糞と発酵鶏糞とをそれぞれ単品で施肥するより混合することで化学肥料を使わない有機栽培用肥料として相乗効果が現れる。豚糞燐酸と石灰、苦土成分が高く、鶏糞は燐酸と石灰成分が高いのが特徴で、この混合により土壌改良剤としての燐酸や苦土、石灰施肥の軽減にもつながった。さらに、発酵豚糞と発酵鶏糞とを混合することで、堆肥としての効果である土壌改良や地力増強効果が見られ、初期から後半まで作物への肥料効果が長続きし、追肥の軽減につながった。
【００１７】
用土がピートモスと牛糞堆肥の混合により植物の種子を播種したものは、９０％〜１００％の発芽率を示した。発芽後の生育も抑制や伸びすぎることなく、また、牛糞堆肥の有機肥料成分により肥料効果も長続きした。また、植物の苗をポリポットや植木鉢に移植したものも、生育も抑制や伸びすぎることなく、有機肥料成分により肥料効果も長続きした。さらに、プランターでも小松菜のような葉野菜から、茄子などの果野菜、人参のような根野菜、豆類、ハーブや花卉類まで幅広く生育に適した。牛糞堆肥は酸度が植物栽培用土に近く、また、肥料の濃度の目安となる電気伝導度が植物栽培用土に近いため増量剤としての効果も大きなメリットで、牛糞堆肥のリサイクルとして大量利用にも期待できる。
【００１８】
用土がピートモスと生ゴミ堆肥の混合により植物の種子を播種したものは、９０％〜１００％の発芽率を示した。発芽後の生育も抑制や伸びすぎることなく、また、生ゴミ堆肥の有機肥料成分により肥料効果も長続きした。植物の苗をポリポットや植木鉢に移植したものも、生育も抑制や伸びすぎることなく、また、生ゴミ堆肥の有機肥料成分により肥料効果も長続きした。さらに、プランターでも小松菜のような葉野菜から、茄子などの果野菜、人参のような根野菜、豆類、ハーブや花卉類まで幅広く生育に適した。生ゴミ堆肥は酸度が植物栽培用土に近く、また、肥料の濃度の目安となる電気伝導度が植物栽培用土に近いため増量剤としての効果も大きなメリットで、生ゴミ堆肥のリサイクルとして大量利用にも期待できる。家庭や事業所で発生する生ゴミをその場で堆肥化可能であれば移動する必要なくその場でリサイクルできる。よって、石油資源の浪費と二酸化炭素の排出がない。
【００１９】
植物栽培用袋のシート材が生分解性のため、植物栽培終了後にそのまま土壌に処分または用土充填口の開閉可能なジッパーを開封して用土と植物の根などの残渣を手を汚さず簡単に取り出し、植物栽培用袋と分別処分ができ環境への影響を最小限にできるといったような多くの作用効果が得られる。
【発明を実施するための最良の形態】
【００２０】
次に、本発明の一実施の形態について、図面を参照しながら説明する。ただし、本発明がこれによって限定されるものではない。
【実施例】
【００２１】
図１は本発明の植物栽培用袋の上面図で図２は底面図を示し、図において、１は植物栽培用の袋で、ポリエチレンフィルム、ナイロン、塩化ビニル、ポリ塩化ビニリデン、ポリプロピレンなどの有機高分子シートまたは不織布で形成されている。２は袋１の表面に形成した植付穴、３はその植付穴２を封印した粘着シール、４は用土充填口に形成された開閉可能なジッパー、５は充填された用土を示す。６は袋１の裏面に形成した排水口で、粘着シール７で封印されている。これら植付穴２と排水口６は必要に応じて任意の数を設ければよい。さらに、図３に示すように袋１内には用土５が充填されている。袋１の大きさは５０ｃｍ×３０ｃｍ×２０ｃｍであるが、これに限定されず栽培する植物の大きさによって自由に設定することができる。袋１の表面には、直径１０ｃｍから２０ｃｍの植付穴２があけられているが植付穴２の大きさはこれに限定されず、栽培する植物の大きさによって自由に設定することができる。植付穴２内の用土５には植物８が植えられている。
【００２２】
次に、袋１は０．１３ｍｍ膜厚のポリエチレンフィルムで形成されているが、その他にナイロン、塩化ビニル、ポリ塩化ビニリデン、ポリプロピレンなどの有機高分子シートまたは不織布で形成することもできる。これにより、袋の厚みが薄くても強度を持った袋を形成することができる。また、密閉性が高いので水分の蒸発を防ぐことができるため、灌水の回数を少なくすることができる。また、袋１は、麻や綿などの植物繊維やポリエチレン、ナイロン、塩化ビニル、ポリ塩化ビニリデン、ポリプロピレンまたは芳香族ポリアミドなどの有機高分子繊維でも形成することができる。この場合、有機高分子膜よりは密閉性が落ちるが、繊維を高密度に編み込むことにより露地栽培よりは水分の蒸発を防ぐことができるので露地栽培より灌水の回数を少なくすることができる。また、繊維を編み込むことにより形成されているので、編み目の大きさを調整することにより袋内の土に空気を入れる通気性を調整することができる。さらに、袋１の材質として、発泡スチロールなどの断熱材料を使用することもできる。また、発泡スチロールやグラスウール、綿、空気等の断熱物質を間に挟んだ膜を袋の材料として使用することもできる。またさらに、生分解シートを使用すれば、植物の栽培期間中は袋として充分な機能を保ちながらその後は速やかに分解され無害な形で自然に帰ることができるため環境への影響を最小限にできる。
【００２３】
また、袋１の表面の色をたとえば黒や紺色のように赤外線を吸収しやすい色にすることができる。これにより袋は、太陽光や人工光のうち赤外線を吸収しやすくなるため、袋内の温度を高くすることができる。このため気温の低い地域や季節においても植物の生育を促すことができる。また、袋１の上面の色をたとえば白色や銀色のように赤外線を吸収しにくい色にすることもできる。これにより袋は、太陽光のうち赤外線を吸収しにくくなるため、袋内の温度を低くすることができる。このため気温の高い地域や季節においても高温に弱い植物を育てるのが容易となる。
【００２４】
次に用土５としては、ピートモス０．８リットルにその２０分の一の量を目安とした水０．０４リットルをピートモス全体に均一に加え攪拌したものに２ｍｍの網でふるい通した発酵牛糞２リットルと黒土１．２リットルを混合した４リットルに、有機肥料として発酵豚糞を１２０ｇと発酵鶏糞８０ｇを混合する。水素イオン濃度(一般に酸度とも言われる)ＰＨを６から７に調整したものを用いる。尚、牛糞の代替として発酵生ゴミも同様に使える。発酵とは、牛糞や豚糞、鶏糞、生ゴミなどの発生直後の異臭が長い時間堆積し分解されることにより限りなく無臭に近づいた状態をいう。そして、袋１の表面中央に直径１０ｃｍの植付穴２を設け、かつその植付穴２は指で容易に摘めて剥がすことの可能な粘着シール７で封印し、裏面は排水口６となる小さな孔を容易にあけられる生分解シートで形成された横２７ｃｍ×縦２８ｃｍの植物栽培用４リットルの袋に上記の用土５を充填する。
【００２５】
用土を充填した植物栽培用袋１の裏面に排水口として小さな孔を爪楊枝のような細くて鋭利なもので５箇所あける。植付穴２に封印された粘着シール３を剥がして植付穴２より袋満杯に水を入れる。水が用土５に吸水された後に植付穴２にミニトマトのポットと同じ大きさ及び深さに溝を空け、そこにミニトマトを植えつけ周りの用土を寄せてミニトマトと用土の隙間を埋める。さらに、植付穴２よりミニトマトの根元に植付穴２より溢れない程度にたっぷり潅水する。ミニトマトを植付した後は日当たりの良い場所に置いて管理する。用土５にたっぷり水分を含んでいるので数日は潅水せず、ミニトマトの根元の土が乾燥した時に袋満杯に潅水する。潅水はその繰り返しを生育終了まで続ける。基本的に追肥は必要ないので、本発明の植物８を植えつけた植物栽培用の袋１には、潅水のみの管理をすればよい。ミニトマトの伸長に伴い倒れやすくなるので、ビニール紐のような資材で安定した支柱に固定するとよい。
【産業上の利用可能性】
【００２６】
本発明の植物栽培用袋は、本願発明の技術思想を適用できる植物の栽培等、例えば農家はもちろんのこと家庭菜園・屋内・ベランダにおけるガーデニング等での植物栽培に対して有用である。
【図面の簡単な説明】
【００２７】
【図１】本発明の植物栽培用袋の上面図
【図２】本発明の植物栽培用袋の底面図
【図３】本発明の実施形態により植物を栽培している袋の正面斜視図。
【図４】本発明の実施形態により複数の植物を栽培している袋の正面斜視図。
【符号の説明】
【００２８】
１    袋
２    植付穴
３    粘着シール
４    開閉可能なジッパー
５    用土
６    排水口
７    粘着シール
８    植物
【図１】
2008173118.tif 000003
【図２】
2008173118.tif 000004
【図３】
2008173118.tif 000005
【図４】
2008173118.tif 000006